(57)【要約】【課題】病状、疾患、疾患症状、治療、身体機能評価指標、健康、健康感、教育、トレーニングに関連する個人データを追跡、査定、および管理するシステムならびに方法を提供すること。【解決手段】一実施形態では、病状の個人管理のための方法が、提供される。本方法は、患者が少なくとも１つの病状評価指標および少なくとも１つの介入の入力が可能なグラフィカル・ユーザ・インターフェースを提供することと、ある時間間隔の間の患者に対する少なくとも１つの病状評価指標を受信することと、その時間間隔の間の患者に対する少なくとも１つの介入に関する情報を受信することと、その時間間隔にわたる少なくとも１つの病状評価指標および介入を表示することとを含む。【選択図】図１
2014160517.tif 000002
【特許請求の範囲】
【請求項１】
個人的な介入管理のための方法であって、前記方法は、コンピュータにより実行され、
前記コンピュータは、患者が少なくとも１つの介入に関する情報を入力可能にするグラフィカル・ユーザ・インターフェースを備え、
前記方法は、
前記コンピュータが、前記患者に対する前記少なくとも１つの介入に関して、前記グラフィカル・ユーザ・インターフェースを介して前記患者から情報を受信することであって、前記受信された情報は、前記少なくとも１つの介入の第１および第２のタイミングのインジケーションと、前記少なくとも１つの介入の前記第１および第２のタイミングのそれぞれから生じる第１および第２の病状評価指標とを含む、ことと、
前記コンピュータが、前記少なくとも１つの介入の前記第１のタイミングから生じる前記第１の病状評価指標と、前記少なくとも１つの介入の前記第２のタイミングから生じる前記第２の病状評価指標とを比較することと、
前記コンピュータが、前記第１の病状評価指標と前記第２の病状評価指標との比較に基づいて、前記少なくとも１つの介入の前記第１または第２のタイミングのどちらのタイミングが前記少なくとも１つの介入のより効率的なタイミングであるかを決定することと
を含む、方法。
【請求項２】
前記第１および第２の病状評価指標は、前記患者によって観察される、請求項１に記載の方法。
【請求項３】
前記コンピュータが、前記少なくとも１つの介入の前記第１および第２のタイミングのうちの１つのタイミングから生じる追加病状評価指標を受信することをさらに含む、請求項１に記載の方法。
【請求項４】
前記少なくとも１つの介入は、薬剤の投与、治療薬の投与、栄養剤の投与、ビタミンの投与、運動、理学療法、マッサージ、ストレッチ、摂食量、休息、および睡眠から成る群から選択される少なくとも１つを含む、請求項１に記載の方法。
【請求項５】
前記グラフィカル・ユーザ・インターフェースは、前記少なくとも１つの介入の前記第１および第２のタイミングに関する情報を含むチャートを表示する、請求項１に記載の方法。
【請求項６】
前記チャートのｘ軸上に時間が描写される、請求項５に記載の方法。
【請求項７】
前記チャートは、複数の時間間隔からのデータを表示する、請求項５に記載の方法。
【請求項８】
前記グラフィカル・ユーザ・インターフェースは、複数のチャートを含み、前記複数のチャートの各々は、異なる時間間隔の間の情報を表示する、請求項５に記載の方法。
【請求項９】
前記チャートは、時間間隔にわたって前記少なくとも１つの介入の前記第１および第２のタイミングならびに前記第１および第２の病状評価指標を表示する、請求項５に記載の方法。
【請求項１０】
前記少なくとも１つの介入は、薬剤の投与を含み、前記チャートは、前記薬剤の薬物動態学データを含む、請求項９に記載の方法。
【請求項１１】
前記時間間隔は、２４時間、１週間および１ヶ月から成る群から選択される１つである、請求項９に記載の方法。
【請求項１２】
前記グラフィカル・ユーザ・インターフェースは、病状評価指標を入力するためのスライダバーを含む、請求項１に記載の方法。
【請求項１３】
前記コンピュータは、モバイル機器である、請求項１に記載の方法。
【請求項１４】
前記少なくとも１つの介入の前記第２のタイミングは、前記少なくとも１つの介入の推奨されたタイミングである、請求項１に記載の方法。
【請求項１５】
前記少なくとも１つの介入の前記第１および第２のタイミングは、特定の事象との関連で発生する、請求項１に記載の方法。
【請求項１６】
前記特定の事象は、摂食である、請求項１５に記載の方法。
【請求項１７】
非一時的なコンピュータ読み取り可能な媒体であって、前記非一時的なコンピュータ読み取り可能な媒体のコンテンツは、コンピュータに、個人的な介入管理のための方法を実行させ、
前記コンピュータは、患者が少なくとも１つの介入に関する情報を入力可能にするグラフィカル・ユーザ・インターフェースを備え、
前記方法は、
前記コンピュータが、前記患者に対する前記少なくとも１つの介入に関して、前記グラフィカル・ユーザ・インターフェースを介して前記患者から情報を受信することであって、前記受信された情報は、前記少なくとも１つの介入の第１および第２のタイミングのインジケーションと、前記少なくとも１つの介入の前記第１および第２のタイミングのそれぞれから生じる第１および第２の病状評価指標とを含む、ことと、
前記コンピュータが、前記少なくとも１つの介入の前記第１のタイミングから生じる前記第１の病状評価指標と、前記少なくとも１つの介入の前記第２のタイミングから生じる前記第２の病状評価指標とを比較することと、
前記コンピュータが、前記第１の病状評価指標と前記第２の病状評価指標との比較に基づいて、前記少なくとも１つの介入の前記第１または第２のタイミングのどちらのタイミングが前記少なくとも１つの介入のより効率的なタイミングであるかを決定することと
を含む、非一時的なコンピュータ読み取り可能な媒体。
【発明の詳細な説明】
【技術分野】
【０００１】
（関連出願）
本出願は、２００７年１０月１２日に出願された米国仮特許出願第６０／９９８，６６９号、２００７年１０月１２日に出願された米国仮特許出願第６０／９９８，７６８号、２００８年３月２０日に出願された米国仮特許出願第６１／０７０，０６７号の優先権を主張する。これら出願の各々の全体内容が本明細書に参考として援用される。
【０００２】
（技術分野）
本発明は、病状、身体機能、健康、および健康感に関連する個人データの追跡および査定に関する。
【背景技術】
【０００３】
（本発明の背景）
ワールドワイドウェブの出現によって、事実上、あらゆる話題について、情報、意見、および経験を共有する新しい機会が、人々にもたらされている。ウェブ対応システムおよび方法のサポートを受けて、共通目標および関心を有する人々は、地球上のあらゆる場所から瞬時に交信および通信可能である。例えば、人々は、コンピュータ上の出会い系サイトを使用して、相性の合う相手を検索可能である。個人は、ウェブサイト上でアカウントを生成し、個人情報を入力可能であって、個人情報は、データベース内のユーザプロファイルに保存される。データベースは、ウェブサイトを使用する他人のプロファイルも含有する。個人は、相手に求める特徴に基づいて情報を入力することによって、相性の合う相手を検索可能である。ウェブサイトは、検索基準を処理し、合致するプロファイルの一覧を返すことが可能である。次いで、個人は、さらなる情報を取得し、潜在的な相手に連絡をとることが可能である。
【０００４】
多くのウェブサイトは、共通目標または属性を共有する特定の人々の集団に役立つように存在する。例えば、特許文献１は、体重制御プログラムを構築するシステムについて記載している。本システムによって、個人は、自らの体重を入力、更新、および監視可能となり、ユーザは、レシピを共有し、食事計画を構築可能となる。特許文献２は、動物育種または遺伝子配列別にヒト以外の動物対象を比較するシステムについて記載している。例えば、ヒト以外の動物対象の実験室試験結果をその群の遺伝子データと比較可能である。
【０００５】
既存技術として、患者情報を監視し、医療の提供を支援するシステムの実施例を含む。特許文献３は、救命救急のために、患者を監視するシステムについて記載している。本システムは、患者のための特定の医療パラメータの最大および最小閾値と、パラメータの電流値を設定するスライダを含む。これによって、医療従事者は、患者の状態が正常であるかどうか即座に決定可能となる。別の実施例として、Ｕｎｉｖｅｒｓｉｔｙ  ｏｆ  Ｍａｒｙｌａｎｄ  Ｈｕｍａｎ−Ｃｏｍｐｕｔｅｒ  Ｉｎｔｅｒａｔｉｏｎ  Ｌａｂ  ｏｆ  Ｃｏｌｌｅｇｅ  Ｐａｒｋ（Ｍａｒｙｌａｎｄ）開発のＬｉｆｅ線ソフトウェアは、病歴記録を視覚化するシステムであって、医療従事者は、病歴記録を詳細に検査可能となる。本システムは、病歴における過去の事象を表す時系列およびアイコン等の視覚ツールを含む。
【先行技術文献】
【特許文献】
【０００６】
【特許文献１】米国特許出願公開第２００３／０１８７６８３号明細書
【特許文献２】米国特許第７，０２９，４４１号明細書
【特許文献３】米国特許第６，９５６，５７２号明細書
【発明の概要】
【課題を解決するための手段】
【０００７】
（本発明の概要）
本発明は、病状の個人管理のための方法を提供する。本方法は、患者が少なくとも１つの病状評価指標および少なくとも１つの介入を入力可能なグラフィカル・ユーザ・インターフェースを提供することと、ある時間間隔の間の患者に対する少なくとも１つの病状評価指標を受信することと、その時間間隔の間の患者に対する少なくとも１つの介入に関する情報を受信することと、その時間間隔にわたる少なくとも１つの病状評価指標および介入を表示することとを含む。
【０００８】
少なくとも１つの病状評価指標は、患者によって観察可能である。また、本方法は、医療機器によって測定される追加病状評価指標を受信することを含むことが可能である。介入は、薬剤の投与、治療薬の投与、栄養剤の投与、ビタミンの投与、運動、理学療法、マッサージ、ストレッチ、摂食量、休息、および睡眠を含むことが可能である。
【０００９】
薬剤の薬物動態学データのチャートを含むことが可能である。グラフィカル要素は、チャートであり得る。チャートは、折れ線グラフであり得る。時間は、チャートのｘ軸上に描写可能である。時間間隔は、２４時間、１週間、および１ヶ月から成る群から選択される１つであり得る。チャートは、複数の時間枠からのデータを表示可能である。
【００１０】
グラフィカル要素は、複数のチャートを表示することを含むことが可能である。複数のチャートの各々は、異なる時間間隔の間の情報を表示可能である。グラフィカル要素は、病状評価指標を入力するスライダバーを含むことが可能である。
【００１１】
また、本方法は、少なくとも１つの介入と少なくとも１つの病状評価指標との間の相関を計算するステップを含むことが可能である。
【００１２】
病状は、パーキンソン病を含む運動障害、背痛、片頭痛、線維筋痛を含む疼痛性障害、疲労性障害、うつ病および不安神経症を含む気分障害、摂食障害、ならびにてんかんを含む発作性障害から成る群から選択可能である。
【００１３】
少なくとも１つの病状評価指標は、モバイル機器から受信可能である。
【００１４】
時間間隔は、実際の時間間隔または代表的時間間隔であり得る。病状評価指標は、実際の病状評価指標または代表的病状評価指標であり得る。
【００１５】
また、本発明は、患者において、介入と病状評価指標との間の相互作用を決定する方法を提供する。本方法は、所定の時間間隔にわたって、少なくとも１つの病状評価指標の記録を取得するステップと、同じ所定の時間間隔にわたって、介入の記録を取得するステップと、グラフィック表示内の所定の時間間隔の少なくとも一部を包含する選択された時間間隔にわたって、病状評価指標の記録および介入の記録を例示するステップと、患者にグラフィック表示およびその中に含有されるデータを操作して、データを修正し、そのようなデータ間の相関を決定させるステップとを含む。本方法は、介入と病状評価指標との間の相互作用の決定を可能にする。
【００１６】
また、本発明は、そのコンテンツが、コンピュータに病状の個人管理のための方法を行なわせるコンピュータ可読媒体を提供する。本方法は、患者が少なくとも１つの病状評価指標および少なくとも１つの介入を入力可能なグラフィカル・ユーザ・インターフェースを提供することと、ある時間間隔の間の患者に対する少なくとも１つの病状評価指標を受信することと、その時間間隔の間の患者に対する少なくとも１つの介入に関する情報を受信することと、その時間間隔にわたる少なくとも１つの病状評価指標および介入を表示することとを含む。
【００１７】
また、本発明は、そのコンテンツが、コンピュータに患者における介入と病状評価指標との間の相互作用を決定する方法を行なわせるコンピュータ可読媒体を提供する。本方法は、所定の時間間隔にわたって、少なくとも１つの病状評価指標の記録を取得するステップと、同じ所定の時間間隔にわたって、介入の記録を取得するステップと、グラフィック表示内の所定の時間間隔の少なくとも一部を包含する選択された時間間隔にわたって、病状評価指標の記録および介入の記録を例示するステップと、患者にグラフィック表示およびその中に含有されるデータを操作して、データを修正し、そのようなデータ間の相関を決定させるステップとを含む。コンピュータ可読媒体の使用を通して、介入と病状評価指標との間の相互作用が決定可能である。
【００１８】
また、本発明は、うつ病患者を治療する方法を提供する。本方法は、患者が少なくとも１つの病状評価指標および少なくとも１つの介入を入力可能なグラフィカル・ユーザ・インターフェースを提供することと、ある時間間隔の間の患者に対する少なくとも１つの病状評価指標を受信することと、その時間間隔にわたる少なくとも１つの病状評価指標および介入を表示することとを含む。時間間隔は、時間間隔は、患者がうつ病エピソードを経験していない少なくとも１つの期間を含むことが可能である。
【００１９】
病状評価指標は、患者の気分であり得る。病状評価指標は、評価尺度であり得る。また、本方法は、患者がうつ病であると診断される前に、少なくとも１つの病状を収集することを含むことが可能である。
【００２０】
また、本発明は、病状に関連する個人データを追跡および査定するシステムおよび方法を対象とする。病状は、疾患、疾患症状、身体機能、健康、および健康感に関連し得る。本発明によって、個人、例えば、筋萎縮性側索硬化症（ＡＬＳ）と診断された患者は、そのＡＬＳに関連するデータ、例えば、特定日を通じた気分、受けている治療、および食事等の他の日常活動を入力可能となる。例えば、患者は、吐き気を感じて、朝、起床し得る。朝食後、個人は、その薬剤の初回投与量を服用する。昼前には、その吐き気が回復し、気分が良くなる場合がある。昼前に運動を行ない、昼食を摂ることが可能である。昼下がりには、その吐き気が再発し、短時間の昼寝をし得る。昼寝から起床後、気分が良くなり、その薬剤の２回目の投与量を服用してもよい。軽い夕食を摂り、家事を行なうことが可能である。夜遅くには、疲れ果て、就寝し得る。数時間の睡眠後、非常に吐き気を催し、起床する。患者は、本発明を使用して、１日を通した種々の時間と、異なる数日間における健康感を追跡および記録可能である。また、その治療、食事、および運動等の他の日常活動を追跡ならびに記録可能である。このように、そのＡＬＳのより優れた自己査定および管理が可能である。例えば、朝、起床時、その治療の初回投与量を服用後、軽食を摂ることによって、その吐き気が軽減する傾向にあるのに対して、午前中まで待機する場合、あと数時間の間、吐き気が継続することに気が付く可能性がある。
【００２１】
本発明は、病状の病状評価指標を入力するユーザインターフェースを提供し、評価指標を保存し、評価指標を分析し、グラフィカル要素を提供し、評価指標を表示および視覚化するステップを含むことが可能である。グラフィカル要素は、時間尺度、評価指標尺度、評価指標値の範囲、および複数の点を含むことが可能である。各点は、病状の入力された病状評価指標を表すことが可能である。点は、評価指標値および評価指標が測定された時間に対応する位置において、グラフィカル要素内に表示可能である。
【００２２】
本方法は、患者プロファイルを提供することをさらに含むことが可能である。患者プロファイルは、病状評価指標のうちの１つを含むことが可能である。患者プロファイルは、氏名、性別、および年齢を含む、患者に関する他の個人データをさらに含むことが可能である。本方法は、医学的転帰の相関を提供することをさらに含むことが可能である。本実施形態では、保存することは、患者プロファイルを保存することと、グラフィカル要素内に医学的転帰の相関を表示することとを含むことが可能である。
【００２３】
ユーザインターフェースを提供するステップは、グラフィカル要素内に表示される評価指標点を変動させるために、点変動手段を提供するステップをさらに含むことが可能である。点は、評価指標値の範囲内で変動可能である。点変動手段は、グラフィカルスライダであり得る。点変動手段は、ユーザからの入力をさらに含むことが可能である。
【００２４】
本方法は、各評価指標の隣接点を結合する線を提供するステップをさらに含むことが可能である。線は、別個の線分の線分群であることが可能であって、各線分は、隣接評価指標点を結合する。線を提供するステップは、複数の線を提供するステップをさらに含むことが可能であって、各線は、病状評価指標または医学的転帰の相関に関連する隣接点を結合する。
【００２５】
グラフィカル要素は、評価指標のうちの１つに関する関連情報のための状態要素をさらに含むことが可能である。状態要素は、評価指標に関連する色要素およびテキストメッセージを含むことが可能である。
【００２６】
グラフィカル要素は、病状の治療に関する関連情報のための治療グラフィカル要素をさらに含むことが可能である。治療グラフィカル要素は、治療用量、治療名、または治療頻度を含むことが可能である。グラフィカル要素を使用する方法は、治療グラフィカル要素の一覧を提供し、一覧から１つ以上の治療グラフィカル要素を選択し、選択をドラッグし、１つ以上の治療が投与された時間を表す位置に選択をドロップするステップをさらに含むことが可能である。
【００２７】
本方法は、最小病状評価指標値および最大病状評価指標値を提供し、最小値と最大値との間の中間に引かれる中心線を提供するステップをさらに含むことが可能である。
【００２８】
時間尺度は、開始および終了時間をさらに含むことが可能である。開始および終了時間は、約２４時間、約１週間、約１ヶ月隔てることが可能であって、または開始および終了時間は、病状評価指標のために適切な時間隔てられた期間であり得る。
【００２９】
グラフィカル要素は、病状に関連する日常活動をさらに含むことが可能である。日常活動は、摂食または運動に関連することが可能である。
【００３０】
本発明は、病状に関連する病状評価指標を入力し、グラフィカル要素を使用して、病状評価指標を閲覧するステップを含む方法を含むことが可能である。グラフィカル要素は、時間尺度、評価指標尺度、評価指標値の範囲、および複数の点を含むことが可能である。各点は、病状のために入力された病状評価指標を表すことが可能である。点は、評価指標値および評価指標が測定された時間に対応する位置において、グラフィカル要素内に表示可能である。
【００３１】
本方法は、病状のための医学的転帰の相関を入力し、グラフィカル要素を使用して、医学的転帰の相関を閲覧するステップをさらに含むことが可能である。
【００３２】
本発明は、手続き呼出しの際、クライアントプログラムとサーバプログラムとの間でデータを転送するために、データ構造によってエンコードされるコンピュータ可読メモリ機器を提供可能である。サーバプログラムは、クライアントプログラムによる起動のための関数を含むことが可能である。関数は、１つ以上のパラメータを含むことが可能である。データ構造は、個人データを含むことが可能である。個人データは、患者プロファイル、病状評価指標、および病状転帰を含むことが可能である。個人データは、関数のうちの１つが起動されると、クライアントプログラムからサーバプログラムに転送されるパラメータのうちの１つに対応可能である。
【００３３】
本発明は、クライアントソフトウェアプログラムおよびサーバソフトウェアプログラムを含む、ウェブ対応データ処理システムを保存するコンピュータ可読メモリ機器を含むことが可能である。クライアントソフトウェアプログラムは、病状に関連する複数の病状評価指標を入力するユーザインターフェースを含むことが可能である。クライアントソフトウェアプログラムは、サーバコンピュータプログラムの手続き呼出しを起動可能である。起動は、インターネットまたはイントラネットを含む、ネットワークを介して発生可能である。
【００３４】
サーバコンピュータプログラムは、システムを実行する関数呼出しを含むことが可能である。クライアントソフトウェアプログラムは、データを保存および分析するための要求を送信可能であって、要求は、入力されたデータを含む。入力されたデータは、メモリ内に保存されるデータファイルまたはデータベースにカプセル化可能である。入力されたデータは、マイクロプロセッサを使用して分析可能である。サーバプログラムは、要求を処理し、データを保存および分析可能である。サーバプログラムは、病状評価指標を表示するグラフィカル要素を生成し、クライアントソフトウェアプログラムにグラフィカル要素を送信可能である。グラフィカル要素は、画像として、クライアントソフトウェアプログラムに送信可能である。クライアントソフトウェアプログラムは、画像を表示可能である。あるいは、サーバソフトウェアプログラムは、グラフィカル要素を表す一連のデータ値を送信可能であって、クライアントソフトウェアプログラムを使用して、グラフィカル要素を生成および表示可能である。
例えば、本発明は以下の項目を提供する。
（項目１）
病状の個人管理のための方法であって、該方法は、
患者が少なくとも１つの病状評価指標および少なくとも１つの介入を入力可能なグラフィカル・ユーザ・インターフェースを提供することと、
ある時間間隔の間の患者に対する少なくとも１つの病状評価指標を受信することと、
該時間間隔の間の該患者に対する少なくとも１つの介入に関する情報を受信することと、
該時間間隔にわたる該少なくとも１つの病状評価指標および介入を表示することと
を含む、方法。
（項目２）
上記少なくとも１つの病状評価指標は、上記患者によって観察される、項目１に記載の方法。
（項目３）
医療機器によって測定される追加病状評価指標を受信することをさらに備える、項目２に記載の方法。
（項目４）
上記介入は、薬剤の投与、治療薬の投与、栄養剤の投与、ビタミンの投与、運動、理学療法、マッサージ、ストレッチ、摂食量、休息、および睡眠から成る群から選択される少なくとも１つを含む、項目１に記載の方法。
（項目５）
上記チャートは上記薬剤に対する薬物動態学データを含む、項目４に記載の方法。
（項目６）
上記グラフィカル要素はチャートである、項目１に記載の方法。
（項目７）
上記チャートは折れ線グラフである、項目６に記載の方法。
（項目８）
時間は上記チャートのｘ軸上に描写される、項目１に記載の方法。
（項目９）
上記時間間隔は、２４時間、１週間、および１ヶ月から成る群から選択される１つである、項目１に記載の方法。
（項目１０）
上記チャートは、複数の時間枠からのデータを表示する、項目６に記載の方法。
（項目１１）
グラフィカル要素を提供することは、複数のチャートを表示することを含み、該複数のチャートの各々は、異なる時間間隔の間の情報を表示する、項目６に記載の方法。
（項目１２）
上記グラフィカル要素は、病状評価指標を入力するためのスライダバーを含む、項目１に記載の方法。
（項目１３）
上記少なくとも１つの介入と上記少なくとも１つの病状評価指標との間の相関を計算することをさらに含む、項目１に記載の方法。
（項目１４）
上記病状は、パーキンソン病を含む運動障害、背痛、片頭痛、線維筋痛を含む疼痛性障害、疲労性障害、うつ病および不安神経症を含む気分障害、摂食障害、ならびにてんかんを含む発作性障害から成る群から選択される１つである、項目１に記載の方法。
（項目１５）
上記少なくとも１つの病状評価指標は、モバイル機器から受信される、項目１に記載の方法。
（項目１６）
上記時間間隔は、実際の時間間隔である、項目１に記載の方法。
（項目１７）
上記時間間隔は、代表的時間間隔である、項目１に記載の方法。
（項目１８）
患者において、介入と病状評価指標との間の相互作用を決定する方法であって、
所定の時間間隔にわたって、少なくとも１つの病状評価指標の記録を取得するステップと、
同じ所定の時間間隔にわたって、介入の記録を取得するステップと、
グラフィック表示内の該所定の時間間隔の少なくとも一部を包含する選択された時間間隔にわたって、該病状評価指標の記録および該介入の記録を例示するステップと、
該患者が該グラフィック表示およびその中に含有されるデータを操作することを可能にするステップであって、それにより、該データを修正し、そのようなデータ間の相関を決定する、ステップと
を含み、該介入と該病状評価指標との間の相互作用が決定可能である、方法。
（項目１９）
コンピュータ可読媒体であって、そのコンテンツが、コンピュータに病状の個人管理のための方法を行なわせ、該方法は、
患者が少なくとも１つの病状評価指標および少なくとも１つの介入を入力可能なグラフィカル・ユーザ・インターフェースを提供することと、
ある時間間隔の間の患者に対する少なくとも１つの病状評価指標を受信することと、
該時間間隔の間の該患者に対する少なくとも１つの介入に関する情報を受信することと、
該時間間隔にわたる該少なくとも１つの病状評価指標および介入を表示することと
を含む、コンピュータ可読媒体。
（項目２０）
コンピュータ可読媒体であって、そのコンテンツが、コンピュータに患者における介入と病状評価指標との間の相互作用を決定する方法を行なわせ、該方法は、
所定の時間間隔にわたって、少なくとも１つの病状評価指標の記録を取得するステップと、
同じ所定の時間間隔にわたって、介入の記録を取得するステップと、
グラフィック表示内の該所定の時間間隔の少なくとも一部を包含する選択された時間間隔にわたって、該病状評価指標の記録および該介入の記録を例示するステップと、
該患者が該グラフィック表示およびその中に含有されるデータを操作することを可能にするステップであって、それにより、該データを修正し、そのようなデータ間の相関を決定する、ステップと
を含み、該介入と該病状評価指標との間の相互作用が決定可能である、コンピュータ可読媒体。
（項目２１）
うつ病患者を治療する方法であって、該方法は、
患者が少なくとも１つの病状評価指標および少なくとも１つの介入を入力可能なグラフィカル・ユーザ・インターフェースを提供することと、
ある時間間隔の間の患者に対する少なくとも１つの病状評価指標を受信することと、
該時間間隔にわたる該少なくとも１つの病状評価指標および介入を表示することであって、該時間間隔は、該患者がうつ病エピソードを経験していない少なくとも１つの期間を含む、ことと
を含む、方法。
（項目２２）
上記病状評価指標は上記患者の気分である、項目２１に記載の方法。
（項目２３）
上記病状評価指標は評価尺度である、項目２１に記載の方法。
（項目２４）
上記患者がうつ病であると診断される前に、少なくとも１つの病状を収集することをさらに含む、項目２１に記載の方法。
【図面の簡単な説明】
【００３５】
【図１】図１は、病状の個人管理および監視のためのインターネット対応システムを示す図である。
【図２】図２は、本発明の方法を示す図である。
【図３】図３は、例示的グラフィカル要素を示す図である。
【図４】図４は、医学的転帰の相関の実施形態を示す図である。
【図５】図５は、ユーザによって、本発明を実践する方法を示す図である。
【図６】図６は、本発明が対象とするデータ構造を示す図である。
【図７】図７は、別の例示的グラフィカル要素を示す図である。
【図８Ａ】図８Ａ〜８Ｄは、スライダバー要素の機能を示す図である。
【図８Ｂ】図８Ａ〜８Ｄは、スライダバー要素の機能を示す図である。
【図８Ｃ】図８Ａ〜８Ｄは、スライダバー要素の機能を示す図である。
【図８Ｄ】図８Ａ〜８Ｄは、スライダバー要素の機能を示す図である。
【発明を実施するための形態】
【００３６】
（用語の定義）
本発明は、以下の定義を参照することによって、最も明確に理解される。
【００３７】
明細書および請求項において使用されるように、単数形「１つの（ａ）」、「１つの（ａｎ）」、および「その（ｔｈｅ）」は、別途明示的に記載されない限り、複数形の参照を含む。
【００３８】
用語「疾患」とは、身体機能を低下させる器官の異常状態を指す。用語「疾患」とは、神経疾患（例えば、筋萎縮性側索硬化症（ＡＬＳ）、多発性硬化症（ＭＳ）、パーキンソン病）、ヒト免疫不全ウイルス（ＨＩＶ）、後天性免疫不全症候群（ＡＩＤＳ）、癌（例えば、膀胱癌、血液癌、乳癌、結腸直腸癌、子宮内膜癌、白血病、肺癌、リンパ腫、卵巣癌、膵臓癌、前立腺癌、および皮膚癌）、糖尿病、消化系障害（例えば、過敏性腸管症候群、胃食道逆流疾患、およびクローン病）、循環器疾患、骨粗しょう症、慢性閉塞性肺疾患（ＣＯＰＤ）、関節炎、アレルギー、高齢者疾患、および自己免疫疾患（例えば、狼瘡）を含むが、それらに限定されない、種々の身体的病気を含む。また、用語「疾患」とは、うつ病、不安障害、心的外傷後ストレス障害、気分障害、精神病性障害、人格障害、および摂食障害を含むが、それらに限定されない、精神的病気を含む。
【００３９】
用語「病状」とは、症状等の疾患の発現を指す。例えば、患者が筋萎縮性側索硬化症（ＡＬＳ）に罹患している場合、患者は、嚥下障害（嚥下困難）等の１つ以上の病状を経験し得る。
【００４０】
用語「介入」とは、１つ以上の病状に及ぼす、陽性、陰性、または中性効果を有する任意の事象を指す。用語「介入」とは、薬剤の投与、治療薬の投与、栄養剤の投与、ビタミンの投与、運動、理学療法、マッサージ、ストレッチ、摂食量、休息、および睡眠を含むが、それらに限定されない、種々の活動を含む。
【００４１】
（本発明の詳細な説明）
本発明は、病状、疾患、疾患症状、治療、身体機能評価指標、健康、健康感、教育、トレーニングに関連する個人データを追跡、査定、および管理するシステムならびに方法を提供する。
【００４２】
本発明は、１つ以上の病状の収集、保存、分析、およびグラフィカル表示を提供する。そのようなシステムは、患者、医療従事者、または研究者に以前は利用不可能であった大量のデータの収集を可能にする。
【００４３】
図１に示されるウェブ対応データ処理システム１００を使用して、本発明を実践する方法を実装可能である。ウェブ対応データ処理システムは、当該分野において周知であって、クライアントコンピュータ１０２およびサーバコンピュータ１０４を含むことが可能である。クライアントおよびサーバコンピュータは、インターネット１０６を介して、互いに連結可能である。あるいは、クライアントおよびサーバコンピュータは、イントラネットを介して、例えば、民間企業ネットワークのファイアウォールの背後で、互いに連結可能である。民間企業ネットワークは、民間病院用のネットワークであり得る。
【００４４】
クライアントコンピュータは、ソフトウェアアプリケーションを実行するクライアントソフトウェアプログラム１０８を含むことが可能である。クライアントソフトウェアプログラム１０８は、Ｍｉｃｒｏｓｏｆｔ  Ｃｏｒｐｏｒａｔｉｏｎ（Ｒｅｄｍｏｎｄ、Ｗａｓｈｉｎｇｔｏｎ）から市販のＩＮＴＥＲＮＥＴ  ＥＸＰＬＯＲＥＲ（登録商標）、Ｍｏｚｉｌｌａ  Ｆｏｕｎｄａｔｉｏｎ（Ｍｏｕｎｔａｉｎ  Ｖｉｅｗ、Ｃａｌｉｆｏｒｎｉａ）から市販のＦＩＲＥＦＯＸ（登録商標）、またはＯｐｅｒａ  Ｓｏｆｔｗａｒｅ  ＡＳ（Ｏｓｌｏ、Ｎｏｒｗａｙ）から市販のＯＰＥＲＡ（登録商標）等のインターネットブラウザであり得る。インターネットブラウザは、ハイパーテキスト・マークアップ言語（ＨＴＭＬ）、ならびにＡｄｏｂｅ  Ｓｙｓｔｅｍｓ（Ｓａｎ  Ｊｏｓｅ、Ｃａｌｉｆｏｒｎｉａ）から市販のＦＬＡＳＨ（登録商標）、ＡＩＲ（登録商標）、およびＡＣＲＯＢＡＴ（登録商標）プラットフォーム等の種々の規格にエンコードされるコンテンツを表示可能である。ユーザインターフェースは、テキストを入力し、オプションを選択するテキストボックスおよびトグルボタン等の標準的ウェブ入力要素を含むことが可能である。クライアントコンピュータは、ユーザインターフェースに情報を入力するマウス、キーボード、またはタッチスクリーン等の入力機器を含むことが可能である。
【００４５】
クライアントコンピュータは、本質的に、パーソナルコンピュータである必要はないが、携帯用機器、携帯端末、および携帯電話等の機器を包含する。モバイル機器は、有利なことに、より頻繁なデータ収集とともに、薬剤の摂取等の介入に従事する患者のためのリマインダを可能にする。好適なモバイル機器は、本明細書に記載される方法のために特別に構築可能である、またはＲｅｓｅａｒｃｈ  ｉｎ  Ｍｏｔｉｏｎ  Ｌｉｍｉｔｅｄ（Ｗａｔｅｒｌｏｏ、Ｏｎｔａｒｉｏ）から市販のＢＬＡＣＫＢＥＲＲＹ（登録商標）、Ｐａｌｍ，Ｉｎｃ．（Ｓｕｎｎｙｖａｌｅ、Ｃａｌｉｆｏｒｎｉａ）から市販のＰＡＬＭ（登録商標）、およびＡｐｐｌｅ，Ｉｎｃ．（Ｃｕｐｅｒｔｉｎｏ、Ｃａｌｉｆｏｒｎｉａ）から市販のＩＰＨＯＮＥ（登録商標）のようなスマートフォン等の既存のモバイル機器であり得る。
【００４６】
サーバコンピュータは、ウェブサーバ、例えば、Ａｐａｃｈｅ  Ｓｅｒｖｅｒ、およびアプリケーションサーバ、例えば、Ｃｏｌｄ  Ｆｕｓｉｏｎ  Ａｐｐｌｉｃａｔｉｏｎ  Ｓｅｒｖｅｒを含む、サーバソフトウェアプログラム１１０を含むことが可能である。サーバコンピュータは、データをエンコードおよび保存するデータベースサーバまたはエンジンを含むことが可能である。好適なデータベースソフトウェアとして、ＩＢＭ  Ｃｏｒｐ．（Ａｒｍｏｎｋ、Ｎｅｗ  Ｙｏｒｋ）から市販のＤＢ２（登録商標）およびＩＮＦＯＲＭＩＸ（登録商標）、Ｍｉｃｒｏｓｏｆｔ  Ｃｏｒｐ．（Ｒｅｄｍｏｎｄ、Ｗａｓｈｉｎｇｔｏｎ）から市販のＭＩＣＲＯＳＯＦＴ  ＪＥＴ（登録商標）およびＭＩＣＲＯＳＯＦＴ  ＳＱＬ  ＳＥＲＶＥＲ（登録商標）、ＭｙＳＱＬ  Ｌｔｄ．Ｃｏ．（Ｓｔｏｃｋｈｏｌｍ、Ｓｗｅｄｅｎ）から市販のＭＹＳＱＬ（登録商標）、Ｏｒａｃｌｅ  Ｉｎｔ’ｌ  Ｃｏｒｐ（Ｒｅｄｗｏｏｄ  Ｃｉｔｙ、Ｃａｌｉｆｏｒｎｉａ）から市販のＯＲＡＣＬＥ（登録商標）  Ｄｅｔａｂａｓｅ、ならびにＳｙｂａｓｅ，Ｉｎｃ．（Ｄｕｂｌｉｎ、Ｃａｌｉｆｏｒｎｉａ）から市販のＳＹＢＡＳＥ（登録商標）を含む。
【００４７】
クライアントソフトウェアプログラム１０８を使用して、患者、例えば、ＡＬＳと診断された患者に関連する個人データを入力するユーザインターフェース１１２を提供可能である。個人データは、患者名、性別、および年齢１１４を含むことが可能である。個人データは、病状評価指標、例えば、患者の気分が、非常に良好、良好、普通、不良、または非常に不良かどうかを含むことが可能である。個人データは、サーバソフトウェア１２０プログラムに提出可能であって、サーバソフトウェアプログラムは、個人データ１２２を受信可能である。
【００４８】
サーバプログラムは、サーバコンピュータ１３０上のメモリ内に個人データを保存可能である。メモリを使用して、個人データのための入力を含む、データ構造を保存可能である。データ構造は、構築されたデータファイル１３２または関連データベース１３４であり得る。
【００４９】
サーバソフトウェアプログラムは、例えば、マイクロプロセッサ１４０上で実行する関数呼び出しを使用して、データを分析可能である。サーバソフトウェアプログラムは、個人データ１５０を表すためのグラフィカル要素を生成し、グラフィカル要素をクライアントソフトウェアプログラム１６０に送信可能である。グラフィカル要素は、インターネット１０６を介して送信（１６２）され、クライアントソフトウェアプログラムによって受信（１６４）可能である。クライアントソフトウェアプログラムは、グラフィカル要素１６６を表示可能である。
【００５０】
グラフィカル要素は、画像として、またはグラフィカル要素を構築する一連の値として、生成および送信可能である。画像は、画像を表示可能なクライアントソフトウェアプログラムに送信可能である。あるいは、一連の値は、クライアントソフトウェアプログラムに送信可能であって、クライアントソフトウェアプログラムを使用して、グラフィカル要素を構築および表示可能である。例えば、インターネットブラウザ内で実行するプラグインを使用して、グラフィカル要素を構築および表示可能である。プラグインは、病状評価指標を変動させるスライダを含む、グラフィカル要素と相互作用する特殊制御を含むことが可能である。
【００５１】
また、サーバソフトウェアプログラムは、以下にさらに説明されるように、病状の関連局面の医学的転帰の相関１７０を保存、分析、生成、およびクライアントソフトウェアプログラムに送信可能である。
【００５２】
図２に示されるように、本方法は、病状２００の１つ以上の病状評価指標を入力するユーザインターフェースを提供し、病状評価指標２０２を保存し、病状評価指標２０４を分析し、医療システム評価指標２０６を表示するグラフィカル要素を提供するステップを含むことが可能である。
【００５３】
（病状評価指標）
病状評価指標は、病状に関連する質的または量的評価指標であり得る。例えば、病状評価指標は、特定日時におけるＡＬＳ患者の健康感の質的測定値であり得る。患者は、ＡＬＳの症状および治療、ならびにその状態と相互作用し、影響を及ぼす、摂食および運動等の日常活動によって、特定日時において、非常に良好、良好、普通、不良、または非常に不良であると感じ得る。あるいは、評価指標は、血圧（例えば、心疾患患者の場合）、血糖値、脈拍、温度、Ｔ細胞数など、本質的に量的であり得る。
【００５４】
種々の評価尺度が、病状を測定するために存在する。患者の気分が非常に良好／良好／普通／不良／非常に不良であるかを問う等の離散尺度に加えて、数値尺度を使用して、例えば、１−１０の数値尺度に基づいて、その病状の１つ以上の局面を患者に定量化させることが可能である。評価指標は、一連の測定値に基づいて、状態の数値表現を生成する複合評価指標であり得る。うつ病を測定する評価尺度として、ベックうつ評価尺度、ハミルトンうつ病評価尺度、およびモンゴメリー・アズバーグうつ病評価尺度を含む。ＡＬＳ患者を査定する評価尺度として、Ａｐｐｅｌ  ＡＬＳ評価尺度およびＡＬＳ機能評価尺度（ＡＬＳＦＲＳ）を含む。パーキンソン病のための評価尺度として、統一パーキンソン病評価尺度（ＵＰＤＲＳ）を含む。
【００５５】
（ユーザインターフェースの提供）
再び図１を参照すると、ユーザインターフェースは、ＭＩＣＲＯＳＯＦＴ（登録商標）  ＩＮＴＥＲＮＥＴ  ＥＸＰＬＯＲＥＲ（登録商標）（ＩＥ）１１２等のインターネットブラウザ内に表示されるウェブページであり得る。ウェブページは、情報１１５を入力および選択する標準的ユーザインターフェース要素を含むことが可能である。情報は、ＡＬＳと診断された患者に関連する個人データ、例えば、氏名、年齢、性別、ＡＬＳの種類、症状、運動性等１１４を含むことが可能である。ユーザインターフェースは、その健康感の患者の査定等、病状評価指標を入力するために使用可能である。例えば、ユーザインターフェースは、オプション「非常に良好」、「良好」、「普通」、「不良」、および「非常に不良」を含むオプションボックスと、「気分は？」と記載されたボックス隣のラベル１１６とを含むことが可能である。さらに、ユーザインターフェースは、「２００７年４月２５日午後２：２５」１１７等の評価指標の時間を入力する入力ボックスを含むことが可能である。ユーザインターフェースは、保存、分析、および表示のために、サーバに入力された病状評価指標および時間を提出するためのボタン１１８を含むことが可能である。
【００５６】
また、ユーザインターフェースは、テキスト対応インターフェースであり得る。例えば、サーバは、テキストメッセージまたは電子メールを携帯電話あるいはスマートフォンに送信し、患者の気分を問うことが可能である。患者は、適切な回答によって、応答可能である。
【００５７】
同様に、ユーザインターフェースは、音声インターフェースであることが可能であって、サーバは、定期的に患者に電話をかけ、患者の気分を問う。患者は、口頭で応答可能であって、次いで、周知の音声認識ソフトウェアに従って処理されるであろう。
【００５８】
（代表的データ／時間間隔）
特定の時間期間（例えば、１日、１週間、１ヶ月、１年）の間のデータ入力に加えて、患者は、１日を通した全般的患者の気分を反映する代表的データを入力可能である。本代表的１日は、実際のデータの集約と比較可能であって、患者の知覚と現実との間の差異を患者および／または患者の医療提供者に警告してもよい。
【００５９】
（保存）
本方法は、ローカルまたはサーバコンピュータ上に入力された病状評価指標を保存するステップを含むことが可能である。サーバコンピュータは、評価指標を保存するメモリ、例えば、コンピュータディスク等の取外し可能メモリを含むことが可能である。評価指標を保存するステップは、データの入力を含むデータ構造を使用するステップを含むことが可能である。データ構造は、構築されたデータファイル１３２または関連データベース保存領域１３４内に保存可能である（図１参照）。
【００６０】
（分析）
本方法は、入力された病状評価指標を分析するステップを含むことが可能である。分析は、ローカルまたはサーバコンピュータ上で行なうことが可能である。サーバコンピュータは、分析を実行するマイクロプロセッサ、例えば、Ｉｎｔｅｌ  Ｃｏｒｐｏｒａｔｉｏｎ（Ｓａｎｔａ  Ｃｌａｒａ、Ｃａｌｉｆｏｒｎｉａ）から市販のＩＮＴＥＬ（登録商標）  ｘ８６マイクロプロセッサまたはデュアルコアプロセッサを含むことが可能である。分析は、例えば、評価指標を正規化するステップまたは評価指標を異なる単位に変換するステップを含むことが可能である。
【００６１】
（グラフィカル要素）
本方法は、図３に示されるように、病状評価指標を表示するグラフィカル要素３００を提供するステップを含むことが可能である。グラフィカル要素は、病状に関する豊富なデータを表示する他の要素から構成可能である。グラフィカル要素は、例えば、病状の種々の局面に関連する記号、図、アイコン、色、背景、ウィジェット、およびテキスト情報を含むことが可能である。
【００６２】
グラフィカル要素は、病状評価指標が測定された一連の時間３０４を示す時間尺度３０２を含むことが可能である。例えば、評価指標は、午前２：００（３０６）に測定可能である。グラフィカル要素は、病状評価指標尺度３１０を含むことが可能である。評価指標尺度は、評価指標のための値の範囲３１２を含む。例えば、「気分は？」に対する値の範囲は、「非常に良好」から「非常に不良」であり得る。グラフィカル要素は、１つ以上の点３２０を含むことが可能であって、各点は、評価指標を表示する。例えば、点は、２００７年７月４日午後５：００（３２２）において、評価指標「非常に良好」を表すことが可能である。点は、評価指標尺度に沿った値の範囲内の評価指標の位置および時間尺度に沿った入力された時間に対応する場所において、グラフィカル要素内に表示される。入力された時間は、評価指標が測定された時間であり得る。
【００６３】
（患者プロファイルおよび医学的転帰の相関）
本方法は、図２に示されるように、患者プロファイル２１０および医学的転帰の相関２１２を提供することをさらに含むことが可能である。患者プロファイルは、氏名、性別、および年齢等の患者に関する個人データと、患者の病状とを含むことが可能である。病状の一実施例は、ＡＬＳである。患者プロファイルは、患者の病状に関連する病状評価指標を含むことが可能である。例えば、プロファイルは、２４時間を通した種々の時間に測定および入力された評価指標を使用する、ＡＬＳ患者の気分に関する評価指標集合を含むことが可能である。患者は、複数の患者プロファイルを有してもよく、各々は、関連病状評価指標を表す。例えば、患者は、ＡＬＳおよびうつ病の両方であると診断され、両疾患のためのプロファイルを有してもよい。
【００６４】
本方法は、医学的転帰の相関を提供可能である。医学的転帰の相関は、入力された評価指標、治療、日常活動、および他の病状に関連する個人データと相関し得る医学的転帰である。転帰は、時間枠、例えば、２４時間の時間枠に制限可能である。例えば、ＡＬＳ患者の医学的転帰の相関は、「平均以上の気分の時の全日数を表示」であり得る。代替例では、医学的転帰の相関は、「朝にリルゾールを服用した全日数を表示」であり得る。医学的転帰の相関は、事前パッケージ化、または入力された値にカスタマイズ可能である。また、本方法は、患者が病状評価指標を入力し、その結果を閲覧するのに伴って、自動的に医学的転帰の相関を提供してもよい。
【００６５】
医学的転帰の相関は、保存された評価指標の患者プロファイルを分析するサーバソフトウェアプログラムを実行するサーバコンピュータ上のマイクロプロセッサによって、生成可能である。例えば、ＡＬＳ患者は、平均以上の気分の時の全日数の閲覧を所望してもよい。患者は、医学的転帰の相関を入力可能であって、本方法は、転帰と合致する表示された評価指標点の集合をグラフィカル要素内に提供可能である。例えば、サーバソフトウェアプログラムは、毎日の評価指標を保存する患者プロファイルを検索可能である。サーバソフトウェアプログラムは、評価指標を平均化し、医学的転帰「平均以上の気分の時の全日数を表示」と合致する６日を決定し、図４に示されるように、６つの表示４００を提供可能である。それぞれの日を閲覧することによって、患者は、その大半において、朝早くその治療を受け、昼前に運動し、正午に軽食を摂っていることに気が付き得る。また、昼過ぎに昼寝をすることによって、疲労または吐き気等のある症状を緩和することに役立っていることに気が付き得る。したがって、本一般的行動パターンが、良好な日をもたらす傾向にあると決定可能である。このように、本方法は、患者の自己査定を支援し、その病状の管理し、１日を計画することが可能である。
【００６６】
再び図４を参照すると、各グラフィカル要素４０２は、特定日または複数日の経時的病状を描写可能である。例えば、患者が、日付ｎにインターフェース４００を閲覧している場合、グラフィカル要素４０２ａは、日付ｎ−１を表すことが可能であって、グラフィカル要素４０２ｂは、日付ｎ−２を表すことが可能であって、グラフィカル要素４０２ｃは、  日付ｎ−３を表すことが可能であって、グラフィカル要素４０２ｄは、日付ｎ−４を表すことが可能であって、グラフィカル要素４０２ｅは、日付ｎ−５を表すことが可能であって、およびグラフィカル要素４０２ｆは、日付ｎ−６を表すことが可能である。別の実施例では、各グラフィカル要素は、特定の介入が発生した下位集合日の病状の集約または平均を表すことが可能である。例えば、グラフィカル要素４０２ａは、患者が特定の薬剤を服用した日を表し得る一方、グラフィカル要素４０２ｂは、患者が午後に昼寝をした日を表す。
【００６７】
（点変動手段）
病状評価指標を入力するユーザインターフェースを提供するステップは、グラフィカル要素内の評価指標点を変動させるための点変動手段を提供するステップをさらに含むことが可能である。点変動手段は、評価指標点に付随するグラフィカルスライダ３３０であり得る。また、スライダは、複数の点を変動可能である。本方法は、ユーザから、例えば、ユーザによって起動されるマウス、キーボード、またはタッチスクリーンから受信される入力をさらに含むことが可能である。例えば、入力は、マウスを動かして、点を選択し、グラフィカル要素上の点の上下左右の移動に対応するように、マウスをスライドさせるステップを含むことが可能である。
【００６８】
（評価指標点を接続する線）
再び図３を参照すると、本方法は、評価指標点を接続する線３４０を提供することをさらに含むことが可能である。線は、線分群、すなわち、一連の別個の線分３４２であることが可能であって、各線分は、隣接点を結合する。線は、複数の線であることが可能であって、各線は、関連病状評価指標または医学的転帰の相関の評価指標点を接続する。例えば、ある線は、病状評価指標「気分は？」に対する全評価指標を結合可能であって、別の線は、病状評価指標「嚥下困難」に対する全評価指標を結合可能である。このように、ＡＬＳ患者は、特定日のために入力された２つの病状評価指標を同時に閲覧可能である。別の実施例では、パーキンソン病と診断された患者は、震え、平静、および筋硬直に関連する評価指標を閲覧可能であって、各評価指標は、別個の線分群によって表示される。いくつかの事例では、患者は、評価指標が相関するまたは相関しないことに気が付き得る。例えば、平静および筋硬直は、１日を通して、類似方向にある傾向があるため相関し得る、または眠気および震えは、反対方向にある傾向があるため相関し得ない。
【００６９】
（状態情報）
グラフィカル要素は、病状評価指標を表すための状態要素３５０を含むことが可能である。状態要素は、色要素３５２およびテキスト記述３５４を含むことが可能である。状態要素は、関連評価指標点に隣接する場所において、グラフィカル要素内に表示可能である。例えば、状態要素は、評価指標点の真下に表示可能であって、色要素は、緑色であって、陽性状態を表すことが可能であって、記述「非常に良好」を含むことが可能である
（治療情報）
グラフィカル要素は、個人の治療を表すための治療グラフィカル要素３６０を含むことが可能である。例えば、治療グラフィカル要素は、ＡＬＳ患者によって服用されるリルゾールを表すことが可能である。治療グラフィカル要素は、氏名、用量、および治療頻度３６２を含むことが可能である。
【００７０】
本方法は、病状のための治療の一覧を提供するステップをさらに含むことが可能である。例えば、一覧は、カルビドパ、ブロモクリプチン、ラサジリン、外科的介入、および言語療法を含む、パーキンソン病のための治療および療法を含むことが可能である。治療のうちの１つ以上を一覧から選択して、ドラッグし、患者に投与された日時に対応するグラフィカル要素内の場所上にドロップ可能である。例えば、マウスを使用して、一覧から治療要素を選択し（すなわち、左マウスボタンを押下して、選択する）、治療要素をドラッグし（すなわち、ボタンを押しながらマウスを移動する）、ドロップ（すなわち、左マウスボタンを解放する）可能である。
【００７１】
本方法は、最大および最小病状評価指標値を提供することをさらに含むことが可能である。例えば、運動性の評価指標度の最大値は、１００％（すなわち、完全運動性）であることが可能であって、最小値は、０％（すなわち、麻痺）であり得る。あるいは、気分の評価指標の最大値は、「非常に良好」であることが可能であって、最小値は、「非常に不良」であり得る。
【００７２】
（時間尺度）
時間尺度３０２は、開始時間３０８および終了時間３０９をさらに含むことが可能である。例えば、開始時間は、午後６：００であることが可能であって、終了時間は、午前５：００であり得る。開始および終了時間は、約２４時間隔てることが可能であって、例えば、２００７年４月２７日（土）午前１２：００：００から２００７年４月２７日（土）午後１１：５９：５９までの約１日に対応する。開始および終了時間は、約１週間または１ヶ月隔てることが可能である。あるいは、開始および終了時間は、病状評価指標のために適切な期間を含むことが可能である。例えば、開始および終了時間は、女性の月経周期を表すことが可能である。
【００７３】
（介入）
グラフィカル要素は、個人の病状、教育、またはトレーニングに関連する介入を表す介入グラフィカル要素をさらに含むことが可能である。介入は、陸上競技走者のトレーニングの運動療法を含むことが可能である。例えば、測定期間は、６ヶ月を含むことが可能であって、競技開催日に終了する。評価指標は、１マイル走行時間および痙攣を含むことが可能である。介入は、そのような循環器系の訓練およびウェイトトレーニング等のトレーニングに関連する運動療法を含むことが可能である。走者は、その進歩を追跡し、その運動の日課を変更するかどうか決定可能である。
【００７４】
介入は、菓子または食事等の食物摂取に関連する活動を含むことが可能である。同様に、吐き気および疲労を測定する癌患者はまた、特定の食物および食事時間がその吐き気および疲労に影響を及ぼすかどうか決定するための食物摂取を含むことが可能である。
【００７５】
（ユーザ）
本方法は、上述のように、病状に関連する病状評価指標を含む個人データを入力し、グラフィカル要素を使用して個人データを閲覧するユーザを対象とすることが可能である。本方法ステップは、例えば、ウェブユーザによって実践されることが可能である。ウェブユーザは、筋萎縮性側索硬化症（ＡＬＳ）、多発性硬化症（ＭＳ）、パーキンソン病、嚢胞性線維症、ハンチントン病、トゥレット症候群、心疾患、癌、クローン病、または他の人生を左右する病気等の疾患と診断された患者であり得る。また、ウェブユーザは、患者の看護士または医師あるいは研究を行う臨床医であり得る。
【００７６】
図５に示されるように、本方法は、上述のように、病状評価指標５００を入力し、グラフィカル要素５０２を使用して、病状評価指標を閲覧するステップを含むことが可能である。本方法は、医学的転帰の相関５０４、例えば、「平均以上の気分の時の全日数を表示」を入力し、グラフィカル要素５０６を使用して、医学的転帰の相関を閲覧するステップをさらに含むことが可能である。
【００７７】
（介入タイミング）
本発明は、患者が処方の指示を順守するように支援可能である。本発明は、１つ以上の薬剤のための製造者の処方情報を含むことが可能である、またはＴｈｏｍｓｏｎ  Ｃｏｒｐｏｒａｔｉｏｎ（Ｔｏｒｏｎｔｏ、Ｏｎｔａｒｉｏ）から市販のＰｈｙｓｉｃｉａｎ’ｓ  Ｄｅｓｋ  Ｒｅｆｅｒｅｎｃｅ等のソースを通して、そのような情報にアクセス可能であってもよい。患者が、薬剤の服用または食事等の介入に関する情報を入力すると、本発明は、これらの介入を検証し、そのタイミングが製造者の処方情報と一致するかどうかを決定可能である。例えば、患者が、食事とともに薬剤を服用する場合、ユーザインターフェースは、特定の薬剤が食事の１時間前に服用されるべきであることを患者に忠告してもよい。
【００７８】
（データ構造）
本発明は、データ構造をエンコードするコンピュータ可読媒体機器を対象にすることが可能である。図６に示されるように、データ構造は、個人の個人データおよび個人６００の病状の入力を含むことが可能である。これらの入力は、個人の氏名、年齢、性別、年齢、およびＡＬＳ等の個人の病状を含むことが可能である。個人は、データ構造内に保存された一意の識別子を有することが可能である。また、病状は、データ構造内に保存された一意の識別子を有することが可能である。データ構造は、個人の病状に関連する病状評価指標６０２の入力を含むことが可能であって、例えば、病状評価指標は、双極性障害を有する個人に関連する興奮性であり得る。データ構造は、評価指標値、評価指標が測定された日、および評価指標が測定された日時を含むことが可能である。データ構造は、医学的転帰の相関６０４のための入力を含むことが可能である。
【００７９】
データ構造入力は、サーバコンピュータ上に位置するメモリからクライアントコンピュータに転送され、クライアントソフトウェアプログラムの関数を実行可能である。あるいは、クライアントソフトウェアコンピュータは、病状評価指標等の入力された値をサーバコンピュータに転送可能である。サーバコンピュータは、後の使用のために、データ構造内に入力された値を保存可能である。コンピュータ可読媒体機器は、ソフトウェアプログラムとともに物理的に発送可能である。
【００８０】
（追加ユーザインターフェース実施形態）
次に、図７を参照すると、別の例示的ユーザインターフェース７００が、提供される。ユーザインターフェース７００は、パーキンソン病に罹患する患者のためにカスタマイズされるが、本明細書に説明および描写される原理は、任意の疾患に等しく適用可能である。
【００８１】
ユーザインターフェース７００は、患者が病状評価指標（本実施例では、患者の機能的能力）を入力可能な病状評価指標部分７０２を含む。ユーザは、時間尺度を含む病状評価指標チャート内に複数のデータ点７０４を配置可能である。データ点７０４は、時間および／または規模に関して、調節可能である。例えば、患者が、現在または指定時間の気分を示す場合、患者は、データ点７０４の変動を上下に限定され得る。あるいは、患者は、データ点を左右にドラッグすることによって、ある時間の間のデータを入力可能である。患者は、いくつかの実施形態では、今後のデータ点設定が制限され得る。
【００８２】
また、ユーザインターフェース７００は、介入部分７０８を含む。介入部分７０８によって、患者は、薬剤の投与、治療薬の投与、栄養剤の投与、ビタミンの投与、運動、理学療法、マッサージ、ストレッチ、摂食量、休息、および睡眠等の１つ以上の介入を記録可能となる。例えば、患者は、バー７１０ａ、７１０ｂ、７１０ｃを調節し、食事の開始および終了を示すことによって、食事が摂られた時を指定可能である。同様に、患者は、時間尺度上にマーカ７１２（錠剤を描写してもよい）を配置することによって、１つ以上の薬物７１４ａ−７１４ｅが投与された時間を示すことが可能である。
【００８３】
種々の種類の治療薬は、特定の時間のために計画可能である。例えば、患者は、午前６：００にマドパーを服用するように処方可能である。本状況では、ユーザインターフェース７００は、薬剤計画を表示可能である。患者は、マーカ７１２ａをドラッグすることによって、本計画を修正し、実際の投与を反映可能である。同様に、患者は、マーカ７１２ａ上をクリックすることによって、薬物が服用されたことを示すことが可能である。マーカ上をクリックすることによって、マーカ７１２ａの外観（例えば、その色）を変更可能であって、したがって、薬剤プログラムにより忠実に追従するために、患者、特に、記憶障害患者によって使用可能である。
【００８４】
また、ユーザインターフェース７００は、経時的患者内の薬剤の濃度を示す、薬物動態曲線７１６等の薬物動態学データを含むことが可能である。複数の薬物動態曲線７１６は、種々の色またはパターンで描写され、種々の薬剤の可変薬物動態特性を反映可能である。
【００８５】
（スライダバー）
図８Ａ−８Ｄを参照すると、ユーザインターフェースの実施形態が、提供される。図７におけるように、病状評価指標部分８０２が、提供される。図８Ａでは、第１の病状評価指標は、１日記録される。患者は、午前６：００から評価指標の記録を所望することを示す、または午前６：００にユーザインターフェースにアクセスする（ユーザインターフェースは、既定値を午前６：００に設定可能）。患者は、スライダバー８０４を操作し、病状評価指標を入力する。例えば、患者が、医学的評価指標（例えば、０−４の尺度に基づく疼痛の測定値）として「２」を示すことを所望する場合、ユーザは、図８Ａに描写されるように、スライダバー８０４が「２」の位置になるようにハンドル８０６をドラッグする。
【００８６】
データ点８０６ａは、ハンドル８０６の移動に伴って、垂直線８０８ａに沿って、上下に変動可能である、またはデータ点８０６ａは、病状評価指標が完了されるまで表示されなくてもよい。評価指標は、ハンドル８０６をクリックし、ハンドル８０６をロックすることによって等、いくつかの方法で「完了」可能である。加えて、またはあるいは、評価指標は、例えば、約１５秒、約３０秒、および約１分等、不応期間によって完了可能である。
【００８７】
次に、図８Ｂを参照すると、患者は、第２の病状評価指標を入力する。患者は、再び、スライダバー８０４のハンドル８０６を移動させる。システムが、ハンドル８０６に伴ってデータ点８０８ｂが変動するように構成される場合、線分８１２ａもまた、変動する。したがって、患者は、病状評価指標が改善または悪化しているのかを容易に確認し、そのような変化が経験を真に反映することを検証可能である。
【００８８】
図８Ａに関連して論じられるように、患者は、午前９：００から評価指標の記録を所望することを示すことが可能である、または午前９：００にユーザインターフェースにアクセス可能である（ユーザインターフェースは、既定値を午前９：００に設定可能）。患者は、ある時間の間、ユーザインターフェースを開いたままにし、患者は、ユーザインターフェースに継続してアクセスし、スライダバーを操作可能である。ユーザがスライダバー８０４を操作する度、スライダバーが操作される時間に対して、新しいデータ点を設定可能である。
【００８９】
図８Ｃを参照すると、患者は、再び、スライダバー８０４を操作し、第３のデータ点８０８ｃを入力し、新しい線分８１２ｂを形成する。
【００９０】
図８Ｄを参照すると、患者は、午後３：００において、病状が「３」のままであることを示す。スライダバーハンドル８０６は、午後１２：００のデータ入力から「３」の位置のままであり得る。患者は、ハンドル３０６上をクリックし、スライダバー３０４をロックすることによって、評価指標が「３」のままであることを示すことが可能である。この間、線分８１２ｃは、午後１２：００からの時間の経過に伴って、データ点８０８ｃから水平に伸びることが可能である。別の態様で、スライダバーハンドル８０６は、データ点８０８ｃの設定後、消失可能である。ハンドル８０６は、患者がスライダバー８０４上でマウスをクリックまたは移動させると、再び現れる。
【００９１】
（うつ病への適用）
うつ病についてのいくつかの現代的理論は、うつ病が認知のひずみから生じると仮定する。あるゆる個人が、ある時点において、悲しんだり、憤慨したりするが、大部分の人は、そのような感情が束の間であることを認識するような考え方を有する。しかしながら、大うつ病性障害を有する人は、うつ病エピソードに入る前の時間を認識および想起する能力が欠如していると考えられ、したがって、将来の楽しい時間を想像できない。
【００９２】
本明細書に記載される発明は、うつ病に対処しようとする個人を支援することが可能である。うつ病者は、その気分または他の病状評価指標を本明細書に記載されるシステムに入力し、これらの評価指標の経時的グラフィカル表現を読み出すことが可能である。そのようなシステムは、外部メモリおよび患者のための展望を提供する。
【００９３】
さらに、本明細書に記載される発明は、疾患前の通常健康である人によっても使用可能である。例えば、軍人は、武力紛争への配備前に、病状評価指標を記録可能である。そのような事前の病状評価指標は、心的外傷後ストレス障害（ＰＴＳＤ）等の状態に対処しようとする際の軍人と、ＰＴＳＤのスクリーニングを試みる健康な軍人の両方の基準点としての役割を果たすことが可能である。
【００９４】
いくつかの要素の関数は、代替実施形態では、より少ない要素または単一要素によって、実行可能である。同様に、任意の関数要素は、例示される実施形態に関連して記載されるものよりも少ない、またはそれらと異なる演算を行なうことが可能である。また、例示目的のために特異的に示される関数要素（例えば、モジュール、データベース、コンピュータ、クライアント、サーバ等）は、他の関数要素内に組み込まれる、異なるハードウェアに分離される、または特定の実装に分散されることが可能である。
【００９５】
本発明によるある実施形態が記載されたが、本発明は、記載された実施形態のみに限定されない。種々の変更および／または修正は、本発明の精神または範囲から逸脱することなく、記載される実施形態のいずれにも行なうことが可能である。また、記載される実施形態の要素、ステップ、特徴、および／または局面の種々の組み合わせが、本明細書において、明示的に識別されない場合であっても、そのような組み合わせは可能かつ想定される。
【００９６】
（文献の引用）
本明細書に開示されるあらゆる特許、公開特許出願、および開示された他の参考文献は、その全体が明示的に本明細書に参考として援用される。
【００９７】
（均等物）
当業者は、本明細書に記載される本発明の特定の実施形態の多くの均等物を認識、または日常の実験のみを使用して究明可能であるだろう。具体的には、本願は、本発明の「疾患」への適用について、間をおいて論じているが、本発明は、老化、排卵等の他の医療事象に等しく適用可能である。そのような均等物は、以下の請求項によって包含されることが意図される。
【図１】
2014160517.tif 000003
【図２】
2014160517.tif 000004
【図３】
2014160517.tif 000005
【図５】
2014160517.tif 000006
【図６】
2014160517.tif 000007
【図７】
2014160517.tif 000008
【図４】
2014160517.tif 000009
【図８Ａ】
2014160517.tif 000010
【図８Ｂ】
2014160517.tif 000011
【図８Ｃ】
2014160517.tif 000012
【図８Ｄ】
2014160517.tif 000013